(57)【要約】      （修正有）【課題】電源プラグを抜く動作を繰り返しても、電源プラグのボディからキャプタイヤコードの外装被覆が抜けてしてしまうことがないよう、抜き差しの際にしっかり把持することができる電源プラグを提供する。【解決手段】コンセントに差し込む各差込端子１、電源コードたるキャプタイヤコード２の各導線２ａ及びアース線２ｂを接続するための端子部３ａが設けられた端子板３と、電源コードたるキャプタイヤコード２の挿入口４ａを有する中空のボディ４とが嵌合可能に構成された電源プラグにおいて、キャプタイヤコード２の各導線２ａ及びアース線２ｂが端子板３の端子部３ａに接続されて、端子板３とボディ４とが嵌合した状態のとき、ボディ４内の概ね全域を、絶縁性を有する硬化材料で充填する。【選択図】図３
2018206544.tif 000002
【特許請求の範囲】
【請求項１】
コンセントへの差込端子、及び電源コードの導線接続端子を備える端子板と、
電源コードの挿入口を備える中空のボディと、
を備える電源プラグであって、
電源コードが上記端子板の導線接続端子に接続され、該端子板が上記ボディの他の開口を閉塞するように嵌合した状態において、上記ボディ内の少なくとも上記端子板寄りの部分が、絶縁性を有する硬化材料で満たされていることを特徴とする電源プラグ。
【請求項２】
上記端子板ないし上記ボディの壁に、１つまたは複数の通孔が貫通していることを特徴とする請求項１に記載の電源プラグ。
【請求項３】
上記通孔に、柔軟性を有する注入管が設けられていることを特徴とする請求項２に記載の電源プラグ。
【請求項４】
コンセントへの差込端子、及び電源コードの導線接続端子を備える端子板と、
電源コードの挿入口を備える中空のボディと、
を備える電源プラグであって、
電源コードが上記端子板の導線接続端子に接続され、該端子板が上記ボディの他の開口を閉塞するように嵌合した状態において、把持による上記ボディの潰れを抑制するための補強板が、上記端子板または上記ボディに設けられていることを特徴とする電源プラグ。
【請求項５】
上記端子板に上記補強板が設けられている場合において、該補強板の上記導線接続端子と対向する位置に開口または切欠きが形成されていることを特徴とする請求項４に記載の電源プラグ。
【請求項６】
上記ボディに上記補強板が設けられている場合において、該補強板は、上記ボディの外周面若しくは内周面に近接配置または接触配置され、或いは該補強板の少なくとも一部を上記ボディに埋設して配置されていることを特徴とする請求項４に記載の電源プラグ。
【請求項７】
コンセントへの差込端子、及び電源コードの導線接続端子を備える端子板と、
電源コードの挿入口を備える中空のボディと、
上記ボディの内周側に、該ボディに近接配置または接触配置される、把持による上記ボディの潰れを抑制するための補強板と、
を備える電源プラグ。
【請求項８】
上記補強板は、上記端子板ないし上記ボディに固定可能に構成されていることを特徴とする請求項７に記載の電源プラグ。
【請求項９】
上記ボディに、凸部、凹部または段部が形成されていることを特徴とする請求項１，４または７に記載の電源プラグ。
【発明の詳細な説明】
【技術分野】
【０００１】
本発明は、電気機器たる電動工具等の電源コードの先端に設けられたコンセント（アウトレット）差込み用の電源プラグに関し、詳しくは、抜き差しの際に電源プラグをしっかりと把持できる電源プラグに関する。
【背景技術】
【０００２】
従来、プロ仕様の電動工具の電源コード先端に設けられている電源プラグは、アマチュア用の電動工具の電源プラグに比して、電源プラグのボディ内への水の浸入を防止できるように構成していることが多々ある。
【０００３】
この電源プラグの一例を図１０に示すと、該電源プラグは、端子板１０とゴム製のボディ１１とを備え、端子板１０には、コンセントに差し込む各差込端子１２と、電源コードたるキャプタイヤコード１３の各導線１４及びアース線１５を接続するための端子部１６が設けられ、また、ボディ１１には、キャプタイヤコード１３の挿入口１７と、該挿入口１７の近傍を締め付けてキャプタイヤコード１３の外装被覆１８と密着させるためのコードクリップ１９が設けられている。そして、端子板１０の外周面の凸部２０とボディ１１の内周面の凹部２１とが密着嵌合することで、電源プラグのボディ内への水の浸入を防止している。
【０００４】
そして、この構造の電源プラグは、抜き差しを繰り返していくと電源プラグのボディからキャプタイヤコードの外装被覆が抜けてしてしまい、キャプタイヤコード内の導線被覆が露出することが多々あって、原因を推測すると、電源プラグをコンセントから安定的に抜くために硬い端子板の部分を握るが、このとき、端子板の厚みが薄いため端子板の部分を握った指が電源プラグのゴムボディも一緒に握ってしまい、またこのゴムボディも柔軟なゴム材であるので握られたときに潰れ、端子板の部分を握った指はゴムボディを潰してこのボディ内部の電源コードたるキャプタイヤコードの外装被覆をも摘んだ状態になり、この状態で何度も電源プラグを抜くことで、キャプタイヤコードの外装被覆が電源プラグのボディから徐々に抜ける方向に移動し、結果的に電源プラグのボディからキャプタイヤコードの外装被覆が抜けて、キャプタイヤコード内の導線被覆が露出してしまうのではと考えられる。この状態は非常に危険な状態であり、ショートや感電の危険が増大する。
【０００５】
上述のキャプタイヤコードは、コードクリップによってゴムボディの挿入口に締め付けられているのであるが、キャプタイヤコードの外装もゴム素材など柔軟な部材であるので確実な固定は望むことができず、上述のように、何度もプラグを抜くことで、キャプタイヤコードの締め付けが緩んだりしてキャプタイヤコードの外装被覆が電源プラグのボディから徐々に抜ける方向に移動し、その結果、電源プラグのボディからキャプタイヤコードの外装被覆が抜けるのではと思われる。
【先行技術文献】
【特許文献】
【０００６】
【特許文献１】特開２００９−５９５６９
【発明の概要】
【発明が解決しようとする課題】
【０００７】
本発明の目的とするところは、電源プラグを抜く動作を繰り返しても、電源プラグのボディからキャプタイヤコードの外装被覆が抜けてしてしまうことがないよう、抜き差しの際にしっかり把持することができる電源プラグを提供することを目的とする。
【課題を解決するための手段】
【０００８】
上述した課題を解決するため本発明の第１の実施形態においては、コンセントへの差込端子、及び電源コードの導線接続端子を備える端子板と、電源コードの挿入口を備える中空のボディと、を備える電源プラグであって、電源コードが上記端子板の導線接続端子に接続され、該端子板が上記ボディの他の開口を閉塞するように嵌合した状態において、上記ボディ内の少なくとも上記端子板寄りの部分が、絶縁性を有する硬化材料で満たされていることを特徴とする電源プラグを提供する。
【０００９】
また、上記端子板ないし上記ボディの壁に、１つまたは複数の通孔が貫通していることを特徴とする。
【００１０】
また、上記通孔に、柔軟性を有する注入管が設けられていることを特徴とする。
【００１１】
本発明の第２の実施形態においては、コンセントへの差込端子、及び電源コードの導線接続端子を備える端子板と、電源コードの挿入口を備える中空のボディと、を備える電源プラグであって、電源コードが端子板の導線接続端子に接続され、該端子板がボディの他の開口を閉塞するように嵌合した状態において、把持によるボディの潰れを抑制するための補強板（ガイド部材つまり指示部材）が、端子板またはボディに設けられていることを特徴とする電源プラグを提供する。
【００１２】
また、端子板に補強板が設けられている場合において、該補強板の導線接続端子と対向する位置に開口または切欠きが形成されていることを特徴とする。
【００１３】
また、ボディに補強板が設けられている場合において、該補強板は、ボディの外周面若しくは内周面に近接配置または接触配置され、或いは該補強板の少なくとも一部をボディに埋設して配置されていることを特徴とする。
【００１４】
本発明の第３の実施形態においては、コンセントへの差込端子、及び電源コードの導線接続端子を備える端子板と、電源コードの挿入口を備える中空のボディと、ボディの内周側に、該ボディに近接配置または接触配置される、把持によるボディの潰れを抑制するための補強板と、を備える電源プラグを提供する。
【００１５】
また、補強板は、端子板ないしボディに固定可能に構成されていることを特徴とする。
【００１６】
また、第１〜第３の実施形態における電源プラグのボディに、凸部、凹部または段部が形成されていることを特徴とする。
【発明の効果】
【００１７】
本発明の電源プラグによれば、ボディをしっかりと掴むことができるので、電源プラグをコンセントから抜くときや差し込むときも安定した状態で抜き差しすることができる。
【００１８】
また従来のように、キャプタイヤコードの外装被覆が電源プラグのボディから抜ける方向に移動することを防止できて、キャプタイヤコードの外装被覆が抜けてキャプタイヤコード内の導線被覆が露出してしまうことも防止できる。
【００１９】
さらに、他の作業者が電源コードたるキャプタイヤコードに足を引っ掛けるアクシデントが発生した場合でも、従来であれば、キャプタイヤコードの導線やアース線が電源プラグの端子板の端子から外れ、ショートや感電等の危険が増大するが、本電源プラグではこのような危険も防止することができる。
【図面の簡単な説明】
【００２０】
【図１】本発明が適用される電源プラグの一実施例を示す一部切り欠き斜視図。
【図２】電源コードを取り付けた図１に示す電源プラグの一部切り欠き斜視図。
【図３】本発明に係る電源プラグの一実施例を示す一部切り欠き斜視図。
【図４】電源プラグの一部分を断面にした図。
【図５】本発明に係る電源プラグの一実施例を示す一部切り欠き斜視図。
【図６】電源プラグの一部分を断面にした図。
【図７】補強板の一実施例を示す図。
【図８】本発明に係る電源プラグの一実施例を示す図。
【図９】ボディ形状の一実施例を示す図。
【図１０】従来の電源プラグの構造を示す一部切り欠き斜視図。
【発明を実施するための形態】
【００２１】
以下、本発明に係る電源プラグを、添付図面に示す具体例に基づき説明する。
【００２２】
図１に、本発明を適用する電源プラグの一実施例を示しており、該電源プラグは、コンセントに差し込む各差込端子１と、電源コードたるキャプタイヤコード２の各導線２ａ及びアース線２ｂを接続するための端子部３aが設けられた端子板３と、電源コードたるキャプタイヤコード２の挿入口４ａを有する中空のボディ４とが嵌合可能に構成されているものである。該嵌合の形態は、端子板３の外周面の凸部３ｂとボディ４の内周面の凹部４ｂとが嵌ることで行なわれる。
【００２３】
図２は、図１の電源プラグに電源コードたるキャプタイヤコード２を取り付けた状態を示している。また、キャプタイヤコード２は、コードクリップ５を締め付けることによって該キャプタイヤコード２の外装被覆２ｃとボディ４の挿入口４ａの通孔内壁とが密着する。
【００２４】
図３は、本発明に係る電源プラグの第１の実施形態であり、ボディ４の挿入口４ａから挿入した電源コードたるキャプタイヤコード２の各導線２ａ及びアース線２ｂが端子板３の端子部３aに接続され、端子板３とボディ４とが嵌合した状態のとき、ボディ４内の概ね全域が絶縁性を有する硬化材料で満たされている電源プラグを示している。なお、硬化材料は、ボディ４に端子板３を嵌める前に該ボディ４内に流し入れている。また、図３中に示したグレーの部分が、絶縁性を有する硬化材料である。
【００２５】
本方法を既に使用している電源プラグに適用する際に適する際は、いちど端子板３とボディ４とを取り外し、該ボディ４内に適量の硬化材料を注ぐと共にこの端子板３とボディ４とを嵌合すればよい。
【００２６】
図４は、硬化材料を注入する際の一実施例を示していて、本実施例の方法は、電源プラグを完成させた後で硬化材料を注入する方法で、図４（ａ）は、ボディ４に、内外に貫通する通孔６を２箇所設けて、その内の１つの通孔から絶縁性を有する硬化材料を注入する方法である。なお、硬化材料を注入している通孔６の反対側に位置する通孔６から硬化材料の流出が確認できれば、ボディ４内の概ね全域に硬化材料を充填できたことが分かる。また、通孔６すなわち注入口に蓋を設けてもよい。図４（ｂ）は、図４（ａ）の通孔６に柔軟性を有する素材からなる入管６ａを設けて、該注入管６ａの注入口６ｂから硬化材料を注入する方法である。なお、注入管６ａは硬化材料を注入した後（硬化途中また硬化後）、根元で切断する。
【００２７】
硬化材料（固形化する材料）一例は、エポキシやシリコーン等の樹脂があげられる。また、硬化に掛かる時間は、数分で硬化する材料よりも少なくとも数十分掛かって硬化する材料を用いるのが望ましい。そして、硬化材料は、液状や粒状の流動体を用いるのがよい。
【００２８】
図５及び図６は、本発明に係る電源プラグの第２の実施形態であり、端子板３またはボディ４に、使用者の把持による該ボディ４の潰れを抑制するための補強板７を設けているものである。すなわち、補強板７はボディ４の潰れを防止するためのものである。
【００２９】
図５（ａ）及び図５（ｂ）は、補強板７を端子板３に設けているものを示しており、該補強板７は、端子板３の内側周縁から立ち上げている。また、図５（ａ）のガイド７部材には、キャプタイヤコード２の導線２ａ及びアース線２ｂを接続するための端子部３ａのねじを回す工具を入れる開口７ａが設けられており、図５（ｂ）のガイド７部材には、上記工具を入れる切り欠き７ｂが設けられている。
【００３０】
図６は、補強板７をボディ４に設けているものを示しており、図６（ａ）は、ボディ４の外面上に設けており、図６（ｂ）は、ボディ４の内面上に設けており、図６（ｃ）は、ボディ４の内面に一部を埋設して設けている。なお、図６の（ａ）や図６（ｂ）のように、補強板７をボディ４の外面や内面に設ける場合は、接着や溶着また成型時にボディと一体成型すればよい。また、図６（ｃ）のように、補強板７をボディ４の内面に一部を埋設して設けたり、全部を埋設（図示は省略）する場合も、成型時にボディと一体化すればよい。
【００３１】
図７は、図５及び図６の補強板７の一実施例を示しており、図７（ａ）は板状であり、図７（ｂ）は、通孔７ｃを有する網状であり、図７（ｃ）は、通孔７ｃを有する柵状であり、そして図７（ｄ）は、通孔７ｃと切り欠７ｄとを有するものである。補強板７の素材としては、例えば樹脂素材等が挙げられる。また、用いる素材や、素材の厚みや硬度等を調整して自己復帰可能に構成すれば、ボディ４を握った際にボディ４が適度に潰れ（変形し）て、プラグを抜き差しする際にしっかりと保持する（握る）ことができる。
【００３２】
図８は、本発明に係る電源プラグの第３の実施形態であり、図８（ａ）は、電源プラグの構成を示す一部分を切り欠いた分解斜視図であり、コンセントへの差込端子１及び電源コードたるキャプタイヤコード２の各導線２ａ及びアース線２ｂを接続するための端子部３aが設けられた端子板３と、電源コードたるキャプタイヤコード２の挿入口４ａを有する中空のボディ４と、該ボディ４内にセットされる該ボディ４の周面方向から受ける力を抑制（ボディ４の潰れを防止）するための補強板７と、から構成されているものである。また、補強板７が端子板３乃至ボディ４に固定できるよう公知技術を用いて構成してもよい。そして、補強板７を、上述の段落００３１の中で説明した素材や周面形状（図７（ｂ）、（ｃ）、（ｄ））にしてもよい。
【００３３】
上述した第３の実施形態の電源プラグの組み立ては、先ず、ボディ４の挿入口４ａから電源コードたるキャプタイヤコード２を挿入し（図８（ｂ）を参照）、次いで、該キャプタイヤコード２を補強板７内に通し、次いで、キャプタイヤコード２の各導線２ａ及びアース線２ｂを端子板３の端子部３aに各々接続し、次いで、端子板３とボディ４とを嵌合する。そして、ボディ４のコードクリップ５を締め付けてボディ４とキャプタイヤコード２とを固定する。なお、補強板７のボディ４内での動きが抑制される構造などにすれば、補強板７を端子板３乃至ボディ４に固定する必要はない。
【００３４】
図８（ｂ）は、組み立てた電源プラグの一部分を断面にした図であり、端子板３とボディ４とが嵌合すると、補強板７は、端子板３の端子部３aとボディ４との間に位置する。なお、本図８（ｂ）に示した実施例の補強板７は、端子板３の内面から概ね端子部３aをカバーできる寸法になっているが、所望によりボディ４内に入っているキャプタイヤコード２をカバーできる寸法にしてもよい。補強板７の素材としては、例えば樹脂素材等が挙げられる。また、用いる素材や、素材の厚みや硬度等を調整して自己復帰可能に構成すれば、ボディ４を握った際にボディ４が適度に潰れ（変形し）て、プラグを抜き差しする際にしっかりと保持する（握る）ことができる。
【００３５】
図９は、第１〜第３の実施形態におけるプラグのボディ４の形状の一実施例を示していて、電源プラグをコンセントから抜くときや差し込むとき、より安定した状態で抜き差しできるよう指掛かり部を設けたものである。
【００３６】
図９（ａ）は、指掛かりたる溝８ａを設けたもので、また図９（ｂ）は、指掛かりたる突条８ｂを設けたものである。なお、溝８ａや突条８ｂは、複数設けてもよい。図９（ｃ）は、指掛かりたる段８ｃを設けたもので、なお、段８ｃは断続的に設けたり、また複数設けてもよい。そして、図９（ｄ）は、指掛かりたる凹部８ｄを設けたもので、図９（ｅ）は、指掛かりたる凸部８ｅを設けたものである。なお、溝８ａや突条８ｂは、ボディの概ね全体に設けたり、配置場所によって例えば深さ寸法や突出寸法を変えてもよい。さらには、上述の各指掛かり部を適宜組み合わせて設けてもよい。
【００３７】
従って、本発明の電源プラグは、ボディ４をしっかりと握ることができて、電源プラグをコンセントから抜くときや差し込むときも安定した状態で抜き差しすることができる。さらに、キャプタイヤコードの外装被覆が電源プラグのボディから抜ける方向に移動することも防止できるので、キャプタイヤコードの外装被覆が抜けてキャプタイヤコード内の導線被覆が露出してしまうこともない。
【符号の説明】
【００３８】
１…差込端子
２…キャプタイヤコード
２ａ…導線
２ｂ…アース線
２ｃ…外装被覆
３…端子板
３ａ…端子部
３ｂ…凸部
４…ボディ
４ａ…挿入口
４ｂ…凹部
５…コードクリップ
６…通孔
６ａ…注入管
６ｂ…注入口
７…補強板
７ａ…開口
７ｂ…切り欠き
７ｃ…通孔
７ｄ…切り欠き
８ａ…溝
８ｂ…突条
８ｃ…段
８ｄ…凹部
８ｅ…凸部
１０…端子板
１１…ボディ
１２…差込端子
１３…キャプタイヤコード
１４…導線
１５…アース線
１６…端子部
１７…挿入口
１８…外装被覆
１９…コードクリップ
２０…凸部
２１…凹部
【図１】
2018206544.tif 000003
【図２】
2018206544.tif 000004
【図３】
2018206544.tif 000005
【図４】
2018206544.tif 000006
【図５】
2018206544.tif 000007
【図６】
2018206544.tif 000008
【図７】
2018206544.tif 000009
【図８】
2018206544.tif 000010
【図９】
2018206544.tif 000011
【図１０】
2018206544.tif 000012